(57)【特許請求の範囲】
【請求項１】
互いに離間して配設され、ＯＦＤＭ変調された信号を捕捉する複数のアンテナと、
該複数のアンテナにそれぞれ接続され、供給された信号を処理してベースバンド信号にする複数の受信手段と、
該複数の受信手段の各出力信号を合成するダイバーシチ合成手段と、
該ダイバーシチ合成手段の合成出力から変調時に挿入されたガードインターバル信号を取り除き、有効シンボル信号を抽出して復調するＯＦＤＭ復調手段と、
を有し、
前記ダイバーシチ合成手段は、
前記複数の受信手段の出力信号間の相互相関を検出する相互相関検出手段と、
前記複数の受信手段の各々の出力側に設けられ、前記相互相関検出手段の検出結果に基づいて前記複数の受信手段の各々の出力信号を所定の位相だけ位相補正する移相手段と、
該移相手段により位相補正処理された各信号を合成する信号合成手段と、
を有することを特徴とするＯＦＤＭ受信装置。
【請求項２】
互いに離間して配設され、ＯＦＤＭ変調された信号を捕捉する複数のアンテナと、
該複数のアンテナにそれぞれ接続され、供給された信号を処理してベースバンド信号にする複数の受信手段と、
該複数の受信手段の各出力信号を合成するダイバーシチ合成手段と、
該ダイバーシチ合成手段の合成出力から変調時に挿入されたガードインターバル信号を取り除き、有効シンボル信号を抽出して復調するＯＦＤＭ復調手段と、
を有し、
前記ダイバーシチ合成手段は、
前記複数の受信手段の各々の出力側に接続され、該受信手段の出力信号の自己相関を検出する自己相関検出手段と、
前記複数の受信手段の各々の出力側に設けられ、前記自己相関検出手段の検出結果に基いて前記複数の受信手段の各々の出力信号を所定の振幅に補正する振幅補正手段と、
前記複数の受信手段の出力信号間の相互相関を検出する相互相関検出手段と、
前記各振幅補正手段の各々の出力側にそれぞれ設けられ、前記相互相関検出手段の検出結果に基づいて前記各振幅補正手段の出力信号を所定の位相だけ位相補正する移相手段と、
前記振幅補正手段及び移相手段により、それぞれ振幅補正ならびに位相補正処理された各信号を合成する信号合成手段と、
を有することを特徴とするＯＦＤＭ受信装置。
【請求項３】
互いに離間して配設され、ＯＦＤＭ変調された信号を捕捉する複数のアンテナと、
該複数のアンテナにそれぞれ接続され、供給された信号を処理してベースバンド信号にする複数の受信手段と、
該複数の受信手段の各出力信号を合成するダイバーシチ合成手段と、
該ダイバーシチ合成手段の合成出力から変調時に挿入されたガードインターバル信号を取り除き、有効シンボル信号を抽出して復調するＯＦＤＭ復調手段と、
を有し、
前記ダイバーシチ合成手段は、
前記複数の受信手段の各々の出力側に接続され、該受信手段の出力信号の自己相関を検出する自己相関検出手段と、
前記複数の受信手段の各々の出力側に設けられ、前記自己相関検出手段の検出結果に基いて前記複数の受信手段の各々の出力信号を所定の振幅に補正する振幅補正手段と、
前記各振幅補正手段の出力信号間の相互相関を検出する相互相関検出手段と、
前記各振幅補正手段の出力側にそれぞれ設けられ、前記相互相関検出手段の検出結果に基づいて前記各振幅補正手段の出力信号を所定の位相だけ位相補正する移相手段と、
前記振幅補正手段及び移相手段により、それぞれ振幅補正ならびに位相補正処理された各信号を合成する信号合成手段と、
を有することを特徴とするＯＦＤＭ受信装置。
【請求項４】
互いに離間して配設され、ＯＦＤＭ変調された信号を捕捉する複数のアンテナと、
該複数のアンテナにそれぞれ接続され、供給された信号を処理してベースバンド信号にする複数の受信手段と、
該複数の受信手段の各出力信号を合成するダイバーシチ合成手段と、
該ダイバーシチ合成手段の合成出力から変調時に挿入されたガードインターバル信号を取り除き、有効シンボル信号を抽出して復調するＯＦＤＭ復調手段と、
を有し、
前記ダイバーシチ合成手段は、
前記複数の受信手段の各々の出力側に接続され、該受信手段の出力信号の自己相関を検出する自己相関検出手段と、
前記複数の受信手段の出力信号間の相互相関を検出する相互相関検出手段と、
前記複数の受信手段の各々の出力側に設けられ、前記相互相関検出手段の検出結果に基づいて前記複数の受信手段の各々の出力信号を所定の位相だけ位相補正する移相手段と、
前記各移相手段の出力側に設けられ、前記自己相関検出手段の検出結果に基いて前記各移相手段の出力信号を所定の振幅に補正する振幅補正手段と、
前記移相手段及び振幅補正手段により移相補正ならびに振幅補正処理された各信号を合成する信号合成手段と、
を有することを特徴とするＯＦＤＭ受信装置。
【請求項５】
互いに離間して配設され、ＯＦＤＭ変調された信号を捕捉する複数のアンテナと、
該複数のアンテナにそれぞれ接続され、供給された信号を処理してベースバンド信号にする複数の受信手段と、
該複数の受信手段の各出力信号を合成するダイバーシチ合成手段と、
該ダイバーシチ合成手段の合成出力から変調時に挿入されたガードインターバル信号を取り除き、有効シンボル信号を抽出して復調するＯＦＤＭ復調手段と、
を有し、
前記ダイバーシチ合成手段は、
前記複数の受信手段の出力信号間の相互相関を検出する相互相関検出手段と、
前記複数の受信手段の各々の出力側に設けられ、前記相互相関検出手段の検出結果に基づいて前記複数の受信手段の各々の出力信号を所定の位相だけ位相補正する移相手段と、
前記各移相手段の出力側に設けられ、該移相手段の出力信号の自己相関を検出する自己相関検出手段と、
前記各移相手段の出力側に設けられ、前記自己相関検出手段の検出結果に基いて前記各移相手段の出力信号を所定の振幅に補正する振幅補正手段と、
前記移相手段及び振幅補正手段により位相補正ならびに振幅補正処理された各信号を合成する信号合成手段と、
を有することを特徴とするＯＦＤＭ受信装置。
【請求項６】
前記相互相関検出手段は、
該相互相関検出手段に供給される信号のうち、比較すべき２つの信号のうちの一の信号から複素共役信号を生成して出力する複素共役信号生成手段と、
前記複素共役信号と前記比較すべき２つの信号のうちの他の信号とを乗算処理する乗算手段と、
該乗算手段による乗算結果を所定時間だけ累算する累算手段と、
該累算手段による累算結果から位相計算を行う位相算出手段と、
該位相算出手段による位相算出結果から位相係数を算出する位相係数算出手段と、
を有することを特徴とする請求項１乃至５のいずれかに記載のＯＦＤＭ受信装置。
【請求項７】
前記自己相関検出手段は、
該自己相関検出手段に供給される信号を有効シンボル時間だけ遅延させた遅延信号を出力する有効シンボル時間遅延手段と、
前記自己相関検出手段に供給される信号から複素共役信号を生成して出力する複素共役信号生成手段と、
前記遅延信号と前記複素共役信号とを乗算する乗算手段と、
該乗算手段の乗算結果を所定時間だけ累算する累算手段と、
該累算手段の累算結果から最大自己相関値を検索する最大自己相関検索手段と、
該最大自己相関検索手段の検索結果から前記振幅補正手段の振幅係数を算出する振幅係数算出手段と、
を有することを特徴とする請求項２乃至５のいずれかに記載のＯＦＤＭ受信装置。
【請求項８】
前記ＯＦＤＭ復調手段は、
前記複数の自己相関検出手段の各々にて検索された最大自己相関値の中で最大値を示す最大自己相関値検出時点を基準として前記ダイバーシチ合成手段の出力信号からガードインターバル信号を削除して有効シンボル信号を抽出することを特徴とする請求項７に記載のＯＦＤＭ受信装置。
【発明の詳細な説明】
【０００１】
【発明の属する技術分野】
この発明は、日本や欧州における地上波ディジタルＴＶ放送のようにＯＦＤＭ変調された信号の受信装置に関し、特に車載用として好適なダイバーシチ受信型のＯＦＤＭ受信装置に関する。
【０００２】
【従来の技術】
近年、地上波ディジタルＴＶ放送に代表されるディジタルのオーディオ信号や映像信号の伝送（変調）方式としてＯＦＤＭ（ Ｏrthogonal Ｆrequency Ｄivision Ｍultiplexing、直交周波数分割多重）によるマルチキャリア（多搬送波）変調方式が実用化されつつある。この変調方式による放送は、符号化したデータを分割して千から数千以上の搬送波に振り分け、多重化して伝送する。
図１０にＯＦＤＭ送信装置の構成ブロック図を、図１１にＯＦＤＭによる変調過程を模型化した説明図を示す。
【０００３】
図１０において、ＯＦＤＭ変調手段６１は、入力されるディジタル信号をＱＰＳＫ等の変調を行う変調手段６２と、変調された直列信号を並列信号に変換する直／並列変換手段（Ｓ／Ｐ）６３と、変換された並列信号を逆フーリエ変換する高速逆フーリエ変換手段（ＩＦＦＴ）６４と、逆フーリエ変換された信号を直列系列に変換し、時間信号として出力する並／直列変換手段（Ｐ／Ｓ）６５と、変換された信号にガードインターバルを挿入するガードインターバル挿入手段６６とから構成されている。また、６７は送信手段（ＴＸ）、６８はアンテナである。
【０００４】
上記構成において、入力されたディジタル信号が変調手段６２により所定の変調方式（例えば、ＱＰＳＫ変調）で情報変調されることにより得られた変調シンボルは、図１１に示すように、直／並列変換手段（Ｓ／Ｐ）６３により、より低速の変調シンボル列、すなわち、一定周波数間隔（Δｆ）で並んだＮ個のそれぞれ互いに直交する搬送波の変調シンボル列に変換される。この変調シンボル列は、高速逆フーリエ変換手段（ＩＦＦＴ）６４により高速逆フーリエ変換（ＩＦＦＴ）され、更に、並／直列変換手段（Ｐ／Ｓ）６５により波形合成され、直交する時間軸信号の同相成分（以下Ｉと記す。）と、直交成分（以下、Ｑと記す。）が生成される。
【０００５】
さらに、ガードインターバル挿入手段６６により所定時間（有効シンボル時間）Ｔｓで区切られた信号の末尾の所定時間分（ガードインターバル時間）Ｔｇを上記時間軸信号Ｉ，Ｑの開始部にコピーして挿入し、これをガードシンボルとする。このようにガードシンボルが挿入された時間軸信号が、ガードインターバル挿入手段６６からベースバンド時系列信号として生成される。
【０００６】
このガードシンボルは受信時に生じる遅延波妨害（干渉）の対策のために挿入されるもので、マルチパス環境下での信号の相対遅延による隣接シンボル干渉を吸収するシンボルである。
ここで、（Ｔｇ＋Ｔｓ）時間の時間軸信号が１単位のＯＦＤＭシンボルとして扱われ、受信時の処理によってこのガードシンボルが除去されてＴｓ時間の信号のみが有効シンボル信号として抽出され、復調されるものである。
そして、ガードインターバル挿入手段６６により生成されたベースバンド時系列信号は、Ｄ／Ａ変換手段を含む送信手段（ＴＸ）６７で所定の搬送波に乗せられ、電力増幅した後アンテナ６８から空間に輻射される。
【０００７】
つぎに、図１２に基本的なＯＦＤＭ受信装置の構成を、図１３にＯＦＤＭによる復調過程を概念的に示す。
図１２において、ＯＦＤＭ受信装置は、アンテナ８２と、受信手段（ＲＥＣ）８３と、ＯＦＤＭ復調手段８１とを有している。
また、ＯＦＤＭ復調手段８１は、受信した信号からガードシンボルを除去して有効シンボル信号を抽出する有効シンボル抽出手段８４、有効シンボル信号を並列信号に変換する直／並列変換手段（Ｓ／Ｐ）８５、並列信号をフーリエ変換する高速フーリエ変換手段（ＦＦＴ）８６、直列信号に変換する並／直列変換手段（Ｐ／Ｓ）８７および復調手段８８を有している。
【０００８】
図１２において、アンテナ８２によって捕捉された信号電波は受信手段（ＲＥＣ）８３によって増幅、周波数変換され、ベースバンド時系列信号として出力され、ＯＦＤＭ復調手段８１によって復調される。
ＯＦＤＭ復調手段８１では、図１３に示すように、有効シンボル抽出手段８４において、受信したＯＦＤＭシンボルを参照し、Ｔｓ時間だけ離れた２つのシンボル信号をＴｇ時間にわたり積和を計算して自己相関信号を発生し、これを基準信号とする。続いてＯＦＤＭシンボルの基準信号（自己相関信号）のピーク（最大値）を検出し、自己相関信号のピークに基づいて挿入されたガードシンボルの開始時期を検出し、このガードシンボルを除去して有効シンボルのＩ、Ｑを抽出する。
【０００９】
次いで、直／並列変換手段（Ｓ／Ｐ）８５により有効シンボル信号を並列信号に変換し、変換された並列信号を高速フーリエ変換手段（ＦＦＴ）８６により高速フーリエ変換（ＦＦＴ）してΔｆずつ周波数のずれたＮ個の搬送波の変調シンボルを取り出す。このように取り出された変調シンボルを並／直列変換手段（Ｐ／Ｓ）８７により直列状の時間系列に変換してから、復調手段８８により所定の方式で復調して、ディジタル信号を復号する。
【００１０】
以上のように、受信したＯＦＤＭシンボルの基準信号（自己相関信号）のピーク（最大値）を検出し、自己相関信号のピークに基づいて有効シンボルを抽出するので、基準信号が正確に検出されないと、抽出した有効シンボルに隣接するＯＦＤＭシンボルのデータが含まれることとなり、ビット誤りが発生するという問題がある。
一方、ＯＦＤＭ変調による放送信号を自動車等で移動しながら受信する場合、フェージングの影響を受けてしまい、基準信号を正確に発生できなくなる。その結果、前述のようなビット誤りが発生するので、移動受信時にはダイバーシチ受信によりレベル変動を抑制するようにしている。
【００１１】
移動通信を行うときのフェージングに伴う受信信号のレベル変動の影響を回避する目的で構成された従来のＯＦＤＭ受信装置の構成を図１４に示す。図１４は、説明の便宜上、２系統のアンテナを含む受信系を有するＯＦＤＭ受信装置について示している。
図１４に示すＯＦＤＭ受信装置の構成は、アンテナ１０１ａから高速フーリエ変換手段（ＦＦＴ）１０５ａに至るまでの構成（アンテナ１０１ｂから高速フーリエ変換手段（ＦＦＴ）１０５ｂに至るまでの構成も同様）は図１２に示すアンテナ８２から高速フーリエ変換手段（ＦＦＴ）８６に至る構成と同一である。
【００１２】
図１４に示すＯＦＤＭ受信装置では高速フーリエ変換手段（ＦＦＴ）１０５ａ（高速フーリエ変換手段（ＦＦＴ）１０５ｂ）の後にダイバーシチ合成手段１０６と、並／直列変換手段（Ｐ／Ｓ）１０７と、復調手段１０８とが設けられている。
上記構成において、アンテナ１０１ａによって受信された信号は、受信手段（ＲＥＣ）１０２ａで増幅され、有効シンボル抽出手段１０３ａで自己最大相関値を検出することにより、ガードシンボルを除去して有効シンボル信号を抽出した後、直／並列変換手段（Ｓ／Ｐ）１０４ａにおいて並列信号に変換され、高速フーリエ変換手段（ＦＦＴ）１０５ａによってフーリエ変換され、各搬送波の信号がダイバーシチ合成手段１０６に出力される。
【００１３】
同様に、アンテナ１０１ｂによって受信された信号は、受信手段（ＲＥＣ）１０２ｂで増幅され、有効シンボル抽出手段１０３ｂで自己最大相関値を検出することにより、ガードシンボルを除去して有効シンボル信号を抽出した後、直／並列変換手段（Ｓ／Ｐ）１０４ｂにおいて並列信号に変換され、高速フーリエ変換手段（ＦＦＴ）１０５ｂによってフーリエ変換され、各搬送波の信号がダイバーシチ合成手段１０６に出力される。
ダイバーシチ合成手段１０６では各搬送波毎に２系統の受信系における受信レベルが比較され、レベルが大きい搬送波が選択され、その変調シンボルが並／直列変換手段（Ｐ／Ｓ）１０７に出力される。並／直列変換手段１０７では入力された変調シンボルが直列信号に変換され、復調手段１０８によって復調される。
【００１４】
【発明が解決しようとする課題】
ところが、上述した従来のＯＦＤＭ受信装置ではダイバーシチ合成手段の前段に有効シンボル抽出手段が設けられている。このため、複数のアンテナ素子毎に基準信号を取り出し該基準信号のピーク点に基づいて有効シンボル信号を抽出するので、フェージングが発生した場合には受信信号のレベル変動が大きく、基準信号（自己相関信号）を正確に検出することができなくなる。このように基準信号が正確に検出されない場合には雑音が混入して正確に有効シンボル信号の抽出ができず、基準信号のタイミング誤りが発生してビット誤りが多くなるという問題があった。
【００１５】
また、高速フーリエ変換回路（ＦＦＴ）は、復調回路と同等規模の回路なので、アンテナ素子数の多いダイバーシチを構成したとき、回路規模の大きい高速フーリエ変換回路（ＦＦＴ）がアンテナ素子数だけ必要になり、それ故、回路規模が大きくなってしまい、受信装置全体が複雑な回路になってしまうという問題もあった。
本発明はこのような事情に鑑みてなされたものであり、有効シンボル抽出手段の前にダイバーシチ合成手段を配設することにより、充分なキャリア／ノイズ比（Ｃ／Ｎ）をもった信号に対して有効シンボル信号抽出を行うことができるＯＦＤＭ変調された放送信号を移動受信するために使用されるダイバーシチ受信型のＯＦＤＭ受信装置を提供することを目的とする。
【００１６】
【課題を解決するための手段】
上記目的を達成するために本発明のＯＦＤＭ受信装置は、互いに離間して配設されＯＦＤＭ変調された信号を捕捉する複数のアンテナと、該複数のアンテナにそれぞれ接続され、供給された信号を処理してベースバンド信号にする複数の受信手段と、該複数の受信手段の各出力信号を合成するダイバーシチ合成手段と、該ダイバーシチ合成手段の合成出力から変調時に挿入されたガードインターバル信号を取り除き、有効シンボル信号を抽出して復調するＯＦＤＭ復調手段とを有することを特徴とする。
【００１７】
本発明のＯＦＤＭ受信装置では、互いに離間して配設された複数のアンテナによりＯＦＤＭ変調された信号が捕捉され、該複数のアンテナにそれぞれ接続された複数の受信手段により供給された信号が処理されベースバンド信号に変換される。さらにダイバーシチ合成手段により複数の受信手段の各出力信号が合成され、該ダイバーシチ合成手段の合成出力からＯＦＤＭ復調手段により変調時に挿入されたガードインターバル信号が取り除かれ、有効シンボル信号が抽出されて復調される。
【００１８】
また、本発明のＯＦＤＭ受信装置は、前記ダイバーシチ合成手段は、前記複数の受信手段の出力信号間の相互相関を検出する相互相関検出手段と、前記複数の受信手段の各々の出力側に設けられ、前記相互相関検出手段の検出結果に基づいて前記複数の受信手段の各々の出力信号を所定の位相だけ位相補正する移相手段と、該移相手段により位相補正処理された各信号を合成する信号合成手段とを有することを特徴とする。
【００１９】
本発明のＯＦＤＭ受信装置の前記ダイバーシチ合成手段では、相互相関検出手段により前記複数の受信手段の出力信号間の相互相関が検出され、前記複数の受信手段の各々の出力側に設けられた移相手段により、前記相互相関検出手段の検出結果に基づいて前記複数の受信手段の各々の出力信号を所定の位相だけ位相補正される。さらに、信号合成手段により前記移相手段により位相補正処理された各信号が合成される。
【００２０】
また、本発明のＯＦＤＭ受信装置は、前記ダイバーシチ合成手段は、前記複数の受信手段の各々の出力側に接続され、該受信手段の出力信号の自己相関を検出する自己相関検出手段と、前記複数の受信手段の各々の出力側に設けられ、前記自己相関検出手段の検出結果に基いて前記複数の受信手段の各々の出力信号を所定の振幅に補正する振幅補正手段と、前記複数の受信手段の出力信号間の相互相関を検出する相互相関検出手段と、前記各振幅補正手段の各々の出力側にそれぞれ設けられ、前記相互相関検出手段の検出結果に基づいて前記各振幅補正手段の出力信号を所定の位相だけ位相補正する移相手段と、前記振幅補正手段及び移相手段により、それぞれ振幅補正ならびに位相補正処理された各信号を合成する信号合成手段とを有することを特徴とする。
【００２１】
本発明のＯＦＤＭ受信装置の前記ダイバーシチ合成手段では、前記複数の受信手段の各々の出力側に接続された自己相関検出手段により、前記受信手段の出力信号の自己相関が検出され、前記複数の受信手段の各々の出力側に設けられた振幅補正手段により、前記自己相関検出手段の検出結果に基いて前記複数の受信手段の各々の出力信号が所定の振幅に補正される。さらに相互相関検出手段により前記複数の受信手段の出力信号間の相互相関が検出され、前記各振幅補正手段の各々の出力側にそれぞれ設けられた移相手段により、前記相互相関検出手段の検出結果に基づいて前記各振幅補正手段の出力信号を所定の位相だけ位相補正される。そして信号合成手段により前記振幅補正手段及び移相手段により、それぞれ振幅補正ならびに位相補正処理された各信号が合成される。
【００２２】
また、本発明のＯＦＤＭ受信装置は、前記ダイバーシチ合成手段は、前記複数の受信手段の各々の出力側に接続され、該受信手段の出力信号の自己相関を検出する自己相関検出手段と、前記複数の受信手段の各々の出力側に設けられ、前記自己相関検出手段の検出結果に基いて前記複数の受信手段の各々の出力信号を所定の振幅に補正する振幅補正手段と、前記各振幅補正手段の出力信号間の相互相関を検出する相互相関検出手段と、前記各振幅補正手段の出力側にそれぞれ設けられ、前記相互相関検出手段の検出結果に基づいて前記各振幅補正手段の出力信号を所定の位相だけ位相補正する移相手段と、前記振幅補正手段及び移相手段により、それぞれ振幅補正ならびに位相補正処理された各信号を合成する信号合成手段とを有することを特徴とする。
【００２３】
本発明のＯＦＤＭ受信装置の前記ダイバーシチ合成手段では、前記複数の受信手段の各々の出力側に接続された自己相関検出手段により、前記受信手段の出力信号の自己相関が検出され、前記複数の受信手段の各々の出力側に設けられた振幅補正手段により、前記自己相関検出手段の検出結果に基いて前記複数の受信手段の各々の出力信号が所定の振幅に補正される。また相互相関検出手段により前記各振幅補正手段の出力信号間の相互相関が検出され、前記各振幅補正手段の出力側にそれぞれ設けられた移相手段により、前記相互相関検出手段の検出結果に基づいて前記各振幅補正手段の出力信号が所定の位相だけ位相補正される。さらに信号合成手段により前記振幅補正手段及び移相手段により、それぞれ振幅補正ならびに位相補正処理された各信号が合成される。
【００２４】
また、本発明のＯＦＤＭ受信装置は、前記ダイバーシチ合成手段は、前記複数の受信手段の各々の出力側に接続され、該受信手段の出力信号の自己相関を検出する自己相関検出手段と、前記複数の受信手段の出力信号間の相互相関を検出する相互相関検出手段と、前記複数の受信手段の各々の出力側に設けられ、前記相互相関検出手段の検出結果に基づいて前記複数の受信手段の各々の出力信号を所定の位相だけ位相補正する移相手段と、前記各移相手段の出力側に設けられ、前記自己相関検出手段の検出結果に基いて前記各移相手段の出力信号を所定の振幅に補正する振幅補正手段と、前記移相手段及び振幅補正手段により移相補正ならびに振幅補正処理された各信号を合成する信号合成手段とを有することを特徴とする。
【００２５】
本発明のＯＦＤＭ受信装置の前記ダイバーシチ合成手段では、前記複数の受信手段の各々の出力側に接続された自己相関検出手段により、前記受信手段の出力信号の自己相関が検出され、相互相関検出手段により前記複数の受信手段の出力信号間の相互相関が検出される。また前記複数の受信手段の各々の出力側に設けられた移相手段により、前記相互相関検出手段の検出結果に基づいて前記複数の受信手段の各々の出力信号が所定の位相だけ位相補正され、前記各移相手段の出力側に設けられた振幅補正手段により、前記自己相関検出手段の検出結果に基いて前記各移相手段の出力信号を所定の振幅に補正される。さらに前記移相手段及び振幅補正手段により移相補正ならびに振幅補正処理された各信号が信号合成手段により合成される。
【００２６】
また、本発明のＯＦＤＭ受信装置は、前記ダイバーシチ合成手段は、前記複数の受信手段の出力信号間の相互相関を検出する相互相関検出手段と、前記複数の受信手段の各々の出力側に設けられ、前記相互相関検出手段の検出結果に基づいて前記複数の受信手段の各々の出力信号を所定の位相だけ位相補正する移相手段と、前記各移相手段の出力側に設けられ、該移相手段の出力信号の自己相関を検出する自己相関検出手段と、前記各移相手段の出力側に設けられ、前記自己相関検出手段の検出結果に基いて前記各移相手段の出力信号を所定の振幅に補正する振幅補正手段と、前記移相手段及び振幅補正手段により移相補正ならびに振幅補正処理された各信号を合成する信号合成手段とを有することを特徴とする。
【００２７】
本発明のＯＦＤＭ受信装置の前記ダイバーシチ合成手段では、相互相関検出手段により前記複数の受信手段の出力信号間の相互相関が検出され、前記複数の受信手段の各々の出力側に設けられた移相手段により、前記相互相関検出手段の検出結果に基づいて前記複数の受信手段の各々の出力信号が所定の位相だけ位相補正される。前記各移相手段の出力側に設けられた自己相関検出手段により、前記移相手段の出力信号の自己相関が検出される。また前記各移相手段の出力側に設けられた振幅補正手段により、前記自己相関検出手段の検出結果に基いて前記各移相手段の出力信号が所定の振幅に補正される。さらに前記移相手段及び振幅補正手段により位相補正ならびに振幅補正処理された各信号が信号合成手段により合成される。
【００２８】
また、本発明のＯＦＤＭ受信装置は、前記相互相関検出手段は、該相互相関検出手段に供給される信号のうち、比較すべき２つの信号のうちの一の信号から複素共役信号を生成して出力する複素共役信号生成手段と、前記複素共役信号と前記比較すべき２つの信号のうちの他の信号とを乗算処理する乗算手段と、該乗算手段による乗算結果を所定時間だけ累算する累算手段と、該累算手段による累算結果から位相計算を行う位相算出手段と、該位相算出手段による位相算出結果から位相係数を算出する位相係数算出手段とを有することを特徴とする
【００２９】
本発明のＯＦＤＭ受信装置の前記相互相関検出手段では、該相互相関検出手段に供給される信号のうち、比較すべき２つの信号のうちの一の信号から複素共役信号生成手段により複素共役信号が生成され出力される。この複素共役信号と前記比較すべき２つの信号のうちの他の信号とが乗算手段により乗算処理される。さらに前記乗算手段による乗算結果が累算手段により所定時間だけ累算され、前記累算手段による累算結果から位相算出手段により位相計算がを行われる。そして前記位相算出手段による位相算出結果から位相係数算出手段により位相係数が算出される。
【００３０】
また、本発明のＯＦＤＭ受信装置は、前記自己相関検出手段は、該自己相関検出手段に供給される信号を有効シンボル時間だけ遅延させた遅延信号を出力する有効シンボル時間遅延手段と、前記自己相関検出手段に供給される信号から複素共役信号を生成して出力する複素共役信号生成手段と、前記遅延信号と前記複素共役信号とを乗算する乗算手段と、該乗算手段の乗算結果を所定時間だけ累算する累算手段と、該累算手段の累算結果から最大自己相関値を検索する最大自己相関検索手段と、該最大自己相関検索手段の検索結果から前記振幅補正手段の振幅係数を算出する振幅係数算出手段とを有することを特徴とする。
【００３１】
本発明のＯＦＤＭ受信装置の前記自己相関検出手段では、有効シンボル時間遅延手段により前記自己相関検出手段に供給される信号が有効シンボル時間だけ遅延させた遅延信号が出力され、複素共役信号生成手段により前記自己相関検出手段に供給される信号から複素共役信号が生成され出力される。また乗算手段により前記遅延信号と前記複素共役信号とが乗算され、該乗算手段の乗算結果が累算手段により所定時間だけ累算される。さらに最大自己相関検索手段により前記累算手段の累算結果から最大自己相関値を検索され、該最大自己相関検索手段の検索結果から振幅係数算出手段により前記振幅補正手段の振幅係数が算出される。
【００３２】
また、本発明のＯＦＤＭ受信装置は、前記ＯＦＤＭ復調手段は、前記複数の自己相関検出手段の各々にて検索された最大自己相関値の中で最大値を示す最大自己相関値検出時点を基準として前記ダイバーシチ合成手段の出力信号からガードインターバル信号を削除して有効シンボル信号を抽出することを特徴とする。
【００３３】
本発明のＯＦＤＭ受信装置では、前記ＯＦＤＭ復調手段により、前記複数の自己相関検出手段の各々にて検索された最大自己相関値の中で最大値を示す最大自己相関値検出時点を基準として前記ダイバーシチ合成手段の出力信号からガードインターバル信号を削除して有効シンボル信号が抽出される。
【００３４】
上述の構成によるＯＦＤＭ変調信号のダイバーシチ受信によって、受信装置が自動車等の移動体に積載され、移動に伴って受信信号強度が時々刻々変動する場合でも信号歪みを補償することができ、ビット誤りが少ない復調を行うことができ、良好な受信状態を維持できる。また従来では、ＯＦＤＭ復調手段のうち有効シンボル抽出手段から高速フーリエ変換手段までは、アンテナ素子数分の系統が必要であったが、本発明によれば、一系統ですみ、構成の簡単なＯＦＤＭ受信装置を実現することができる。
【００３５】
【発明の実施の形態】
以下、本発明の実施形態について図面を参照して詳細に説明する。図１に本発明の実施形態に係るＯＦＤＭ受信装置の構成を示す。本発明の実施形態に係るＯＦＤＭ受信装置ではアンテナ素子数を２とした場合について説明する。本実施の形態に係るＯＦＤＭ受信装置が図１４に示した従来のＯＦＤＭ受信装置と構成上、異なるのは、ダイバーシチ合成手段を有効シンボル抽出手段の前に設け、有効シンボルを抽出する以前にダイバーシチ合成を行うようにして有効シンボル抽出手段から高速フーリエ変換手段（ＦＦＴ）に至る系統を１系統とするように構成した点であり、他の構成は同一である。
【００３６】
同図において、本発明の実施形態に係るＯＦＤＭ受信装置は、＃１系統のＯＦＤＭ変調された信号を捕捉するアンテナ１１ａと、＃２系統の信号を捕捉するアンテナ１１ｂと、受信手段１２ａ，１２ｂと、受信手段１２ａ，１２ｂの出力信号を所定のダイバーシチ方式により合成するダイバーシチ合成手段１３と、ＯＦＤＭ復調手段１４とを有している。
ＯＦＤＭ復調手段１４は、有効シンボル抽出手段１５と、直／並列変換手段（Ｓ／Ｐ）１６と、高速フーリエ変換手段（ＦＦＴ）１７と、並／直列変換手段（Ｐ／Ｓ）１８と、復調手段１９とを有している。
【００３７】
上記構成において、アンテナ１１ａ、アンテナ１１ｂにより受信した信号は、それぞれ、受信手段１２ａ、１２ｂで増幅、周波数変換されてベースバンド信号に変換された後、それぞれ＃１系統、＃２系統の信号としてダイバーシチ合成手段１３に入力されダイバーシチ合成される。
ＯＦＤＭ復調手段１４では、有効シンボル抽出手段１５により前記ダイバーシチ合成手段１３の合成出力から自己最大相関値を検出することにより有効シンボル信号が抽出され、直／並列変換手段（Ｓ／Ｐ）１６により抽出された有効シンボル信号が並列信号に変換される。この並列信号が高速フーリエ変換手段（ＦＦＴ）１７によりフーリエ変換され、さらに並／直変換手段（Ｐ／Ｓ）１８によりフーリエ変換された信号が直列信号に変換され、変換された直列信号が復調手段１９により復調される。
【００３８】
次に、図１のダイバーシチ合成手段の第１の構成例を図２に示す。この構成例では、入力される＃１系統、＃２系統の２信号の相互相関値に基づいてこの２信号を同位相に調整してから各信号を合成するようにしている。
図２においてダイバーシチ合成手段１３は、複数の（本実施の形態では２つの）受信手段１２ａ，１２ｂの出力信号間の相互相関を検出する相互相関検出手段２０と、受信手段１２ａ，１２ｂの各々の出力側に設けられ、相関検出手段２０の検出結果に基づいて複数の受信手段１２ａ，１２ｂの各々の出力信号を所定の位相だけ位相補正する移相手段２１，２２と、移相手段２１、２２により位相補正処理された各信号を合成する信号合成手段２３とを有している。
【００３９】
上記構成において、ダイバーシチ合成手段１３では、相互相関検出手段２０により受信手段１２ａ，１２ｂの出力信号間の相互相関が検出され、受信手段１２ａ，１２ｂの各々の出力側に設けられた移相手段２１，２２により、相互相関検出手段２０の検出結果（相互相関値）に基づいて受信手段１２ａ，１２ｂの各々の出力信号が同位相となるように所定の位相量だけ位相補正される。さらに信号合成手段２３により、移相手段２１，２２により位相補正処理された各信号が合成される。第１の構成例によれば、信号電力を最大にすることができる。
【００４０】
次に、図１のダイバーシチ合成手段の第２の構成例を図３に示す。この構成例では、入力される＃１系統、＃２系統の２つの信号を、各信号の自己相関値に比例してそれぞれ、信号振幅を補正し、かつ信号振幅補正後に２信号間の相互相関値に基づいて２信号を同位相に調整してから信号合成するようにしている。
図３において、ダイバーシチ合成手段１３Ａは、受信手段１２ａ，１２ｂの各々の出力側に接続され、受信手段１２ａ，１２ｂの出力信号の自己相関をそれぞれ、検出する自己相関検出手段３０、３１と、受信手段１２ａ，１２ｂの各々の出力側に設けられ、自己相関検出手段３０、３１の検出結果（自己相関値）に基いて受信手段１２ａ，１２ｂの各々の出力信号を所定の振幅に補正する振幅補正手段３２、３３と、受信手段の出力信号間の相互相関を検出する相互相関検出手段２０と、各振幅補正手段３２、３３の各々の出力側にそれぞれ設けられ、相互相関検出手段２０の検出結果に基づいて各振幅補正手段３２、３３の出力信号を所定の位相だけ位相補正する移相手段２１、２２と、振幅補正手段３２、３３及び移相手段２１、２２により、それぞれ振幅補正ならびに位相補正処理された各信号を合成する信号合成手段２３とを有している。
【００４１】
上記構成において、ダイバーシチ合成手段１３Ａでは、受信手段１２ａ，１２ｂの各々の出力側に接続された自己相関検出手段３０、３１により、受信手段１２ａ，１２ｂの出力信号の自己相関が検出され、受信手段１２ａ，１２ｂの各々の出力側に設けられた振幅補正手段３２、３３により、自己相関検出手段３０、３１の検出結果（自己相関値）に基いて受信手段１２ａ，１２ｂの各々の出力信号の振幅が自己相関値に比例して補正される。
【００４２】
さらに、相互相関検出手段２０により受信手段１２ａ，１２ｂの出力信号間の相互相関が検出され、各振幅補正手段３２、３３の各々の出力側にそれぞれ設けられた移相手段２１，２２により、相互相関検出手段２０の検出結果（相互相関値）に基づいて各振幅補正手段３２、３３の出力信号が同位相になるように位相補正される。そして振幅補正手段３２、３３及び移相手段２１，２２によりそれぞれ振幅補正ならびに位相補正処理された各信号が信号合成手段２３により合成される。
【００４３】
この構成例によれば、搬送波対雑音比（以下、Ｃ／Ｎと記す。）を最大にすることができる。また同一の信号に基づいて、自己相関または相互相関を検出するようにしているので、固定小数点数の演算処理を行う場合に、振幅補正または位相補正に用いる係数の算出精度に差がない、という効果も有る。なお、相互相関を検出してから、移相手段で補正されるまでに、各自己相関検出手段３０、３１と、各振幅補正手段３２，３３に係わる信号遅延があるので、その信号遅延を考慮して、位相補正に係わる相互相関検出手段２０と、各移相手段２１、２２を設計する必要がある。
【００４４】
次に、図１のダイバーシチ合成手段の第３の構成例を図４に示す。この構成例では、入力される＃１系統、＃２系統の２つの信号を、各信号の自己相関値に比例して信号振幅を補正し、振幅補正後に２信号間の相互相関値に基づいて２信号が同位相になるように各信号の位相補正を行い、この振幅補正及び位相補正された各信号を合成するようにしている。
【００４５】
図４において、ダイバーシチ合成手段１３Ｂは、受信手段１２ａ，１２ｂの各々の出力側に接続され、受信手段１２ａ，１２ｂの出力信号の自己相関を検出する自己相関検出手段３０、３１と、受信手段１２ａ，１２ｂの各々の出力側に設けられ、自己相関検出手段３０、３１の検出結果に基いて受信手段１２ａ，１２ｂの各々の出力信号を所定の振幅に補正する振幅補正手段３２、３３と、各振幅補正手段３２、３３の出力信号間の相互相関を検出する相互相関検出手段２０と、各振幅補正手段３２、３３の出力側にそれぞれ設けられ、相互相関検出手段２０の検出結果に基づいて各振幅補正手段３２、３３の出力信号を所定の位相だけ位相補正する移相手段２１，２２と、振幅補正手段３２、３３及び移相手段２１，２２により、それぞれ振幅補正ならびに位相補正処理された各信号を合成する信号合成手段２３とを有している。
【００４６】
上記構成において、ダイバーシチ合成手段１３Ｂでは、受信手段１２ａ，１２ｂの各々の出力側に接続された自己相関検出手段３０、３１により、受信手段１２ａ，１２ｂの出力信号の自己相関が検出され、受信手段１２ａ，１２ｂの各々の出力側に設けられた振幅補正手段３２、３３により、自己相関検出手段３０、３１の検出結果（自己相関値）に基いて受信手段１２ａ，１２ｂの各々の出力信号の振幅がそれぞれ、自己相関値に比例して補正される。また、相互相関検出手段２０により各振幅補正手段３２、３３の出力信号間の相互相関が検出され、各振幅補正手段３２、３３の出力側にそれぞれ設けられた移相手段２１，２２により、相互相関検出手段２０の検出結果（相互相関値）に基づいて各振幅補正手段３２、３３の出力信号が同位相になるように位相補正される。さらに信号合成手段２３により振幅補正手段３２、３３及び移相手段２１，２２により、それぞれ振幅補正ならびに位相補正処理された各信号が合成される。
【００４７】
この構成例によっても、Ｃ／Ｎを最大にすることができる。また相互相関を検出してから、実際に位相補正されるまでに、各自己相関検出手段３０，３１と、各振幅補正手段３２、３３に係わる信号遅延が生じないので、第２の構成例とは異なり、位相補正に係わる相互相関検出手段２０と、各移相手段２１、２２とを独立に設計することができる、という効果が有る。
なお、各振幅補正手段３２、３３において振幅補正を行うと有効桁が少なくなるので、相互相関検出手段２０で得られる相互相関値の精度も劣化する。そこで、図４に示す第３の構成例における各振幅補正手段３２、３３と、相互相関検出手段２０と、各移相手段２１、２２では浮動小数点数により演算する必要がある。
【００４８】
次に、図１のダイバーシチ合成手段の第４の構成例を図５に示す。この構成例では、入力される＃１系統、＃２系統の２信号間の相互相関値に基づいてこの２信号が同位相になるように位相補正し、２信号の各信号の自己相関値に比例して各信号の振幅補正をしてから合成するようにしている。この構成例は、図３に示す第２の構成例を基本として、振幅補正手段と移相手段とを入れ替えたものである。
【００４９】
図５においてダイバーシチ合成手段１３Ｃは、受信手段１２ａ，１２ｂの各々の出力側に接続され、受信手段１２ａ，１２ｂの出力信号の自己相関を検出する自己相関検出手段３０、３１と、受信手段１２ａ，１２ｂの出力信号間の相互相関を検出する相互相関検出手段２０と、受信手段１２ａ，１２ｂの各々の出力側に設けられ、相互相関検出手段２０の検出結果に基づいて受信手段１２ａ，１２ｂの各々の出力信号を所定の位相だけ位相補正する移相手段２１、２２と、各移相手段２１、２２の出力側に設けられ、自己相関検出手段３０、３１の検出結果に基いて各移相手段２１、２２の出力信号を所定の振幅に補正する振幅補正手段３２、３３と、移相手段２１、２２及び振幅補正手段３２、３３により位相補正ならびに振幅補正処理された各信号を合成する信号合成手段２３とを有している。
【００５０】
上記構成において、ダイバーシチ合成手段１３Ｃでは、受信手段１２ａ，１２ｂの各々の出力側に接続された自己相関検出手段３０、３１により、受信手段１２ａ，１２ｂの出力信号の自己相関が検出され、相互相関検出手段２０により受信手段１２ａ，１２ｂの出力信号間の相互相関が検出される。また、受信手段１２ａ，１２ｂの各々の出力側に設けられた移相手段２１、２２により、相互相関検出手段２０の検出結果（相互相関値）に基づいて受信手段１２ａ，１２ｂの各々の出力信号が同位相になるように位相補正され、各移相手段２１、２２の出力側に設けられた振幅補正手段３２、３３により、自己相関検出手段３０、３１の検出結果（自己相関値）に比例して前記各移相手段２１、２２の出力信号の振幅が補正される。
【００５１】
さらに、移相手段２１、２２及び振幅補正手段３２、３３により位相補正ならびに振幅補正処理された各信号が信号合成手段２３により合成される。
この構成例によっても、Ｃ／Ｎを最大にすることができる。また同一の信号に基づいて、自己相関または相互相関を検出するようにしているので、固定小数点数の演算処理を行う場合に、振幅補正または位相補正に用いる係数の算出精度に差がない、という効果も有る。
【００５２】
また、各振幅補正手段３２、３３で固定小数点数で演算を行うと、前述の通り、その出力の有効桁が少なくなるので、図３に示す第２の構成例では、各移相手段２１、２２の出力信号の精度は、各振幅補正手段３２，３３の演算結果の精度に応じて劣化していた。しかし、図５に示す第４の構成例では、位相補正の後に振幅補正を行うようにしたので、各移相手段２１，２２の出力信号の精度は、各振幅補正手段３２、３３が出力する信号の精度とは無関係にできる、という効果がある。
なお、自己相関を検出してから、実際に振幅補正手段により補正されるまでに相互相関検出手段２０と、各移相手段２１，２２とに係わる信号遅延があるので、その信号遅延を考慮して振幅補正に係わる各自己相関検出手段３０、３１と、各振幅補正手段３２、３３とを設計する必要がある。
【００５３】
次に、図１のダイバーシチ合成手段の第５の構成例を図６に示す。この構成例は、入力される＃１系統、＃２系統の２信号間の相互相関値に基づいてこの２信号が同位相になるように位相補正し、２信号の各信号の自己相関値に比例して各信号の振幅補正をしてから合成するようにしている。この構成例は、図４に示す第３の構成例を基本として、振幅補正手段及び自己相関検出手段と、移相手段及び相互検出手段との配設順序を入れ替えたものである。
【００５４】
図６においてダイバーシチ合成手段１３Ｄは、受信手段１２ａ，１２ｂの出力信号間の相互相関を検出する相互相関検出手段２０と、受信手段１２ａ，１２ｂの各々の出力側に設けられ、相互相関検出手段２０の検出結果に基づいて受信手段１２ａ，１２ｂの各々の出力信号を所定の位相だけ位相補正する移相手段２１、２２と、各移相手段２１、２２の出力側に設けられ、移相手段２１、２２の出力信号の自己相関を検出する自己相関検出手段３０、３１と、各移相手段２１、２２の出力側に設けられ、自己相関検出手段３０、３１の検出結果に基いて各移相手段２１、２２の出力信号を所定の振幅に補正する振幅補正手段３２、３３と、移相手段２１、２２及び振幅補正手段３２、３３により移相補正ならびに振幅補正処理された各信号を合成する信号合成手段２３とを有している。
【００５５】
上記構成において、ダイバーシチ合成手段１３Ｄでは、相互相関検出手段２０により受信手段１２ａ，１２ｂの出力信号間の相互相関が検出され、受信手段１２ａ，１２ｂの各々の出力側に設けられた移相手段２１、２２により、相互相関検出手段２０の検出結果（相互相関値）に基づいて受信手段１２ａ，１２ｂの各々の出力信号が同位相になるように位相補正される。各移相手段２１、２２の出力側に設けられた自己相関検出手段３０、３１により、移相手段２１、２２の出力信号の自己相関が検出される。
【００５６】
また、各移相手段２１、２２の出力側に設けられた振幅補正手段３２、３３により、自己相関検出手段３０、３１の検出結果（自己相関値）に基いて各移相手段２１、２２の出力信号の振幅が自己相関値に比例して補正される。さらに、移相手段２１、２２及び振幅補正手段３２、３３により移相補正ならびに振幅補正処理された各信号が信号合成手段２３により合成される。
【００５７】
この構成例によっても、Ｃ／Ｎを最大にすることができる。また自己相関を検出してから、実際に振幅補正されるまでに、相互相関検出手段２０と、各移相手段２１、２２とに係わる信号遅延が生じないので、第４の構成例とは異なり、振幅補正に係わる各自己相関検出手段３０、３１と、各振幅補正手段３２、３３とを独立に設計することができる、という効果が有る。
なお、図４に示す第３の構成例では、各振幅補正手段３２、３３と、相互相関検出手段２０と、各移相手段２１、２２では浮動小数点数により演算する必要があったが、図６に示す第５の構成例では、位相補正を行ってから振幅補正を行うようにしたので、固定小数点数によっても精度劣化無く演算を行うことができる、という効果もある。
【００５８】
次に、図３乃至図６に示した自己相関検出手段３０（または３１）の具体的構成を図７に示す。図７において、自己相関検出手段３０（または３１）は、自己相関検出手段３０（または３１）に供給される信号を有効シンボル時間だけ遅延させた遅延信号を出力する有効シンボル時間遅延手段４０と、自己相関検出手段３０（または３１）に供給される信号から複素共役信号を生成して出力する複素共役信号生成手段４１と、前記遅延信号と前記複素共役信号とを乗算する乗算手段４２と、乗算手段４２の乗算結果を所定時間だけ累算する累算手段４３と、累算手段４２の累算結果から最大自己相関値を検索する最大自己相関検出手段４４と、上記最大自己相関値に基づいて振幅補正手段３２（または３３）の振幅係数を算出する振幅係数算出手段４５とを有している。
【００５９】
上記構成において、自己相関検出手段３０（または３１）では、有効シンボル時間遅延手段４０により入力端子１００より自己相関検出手段に供給される信号が有効シンボル時間だけ遅延させられた遅延信号が出力され、また、複素共役信号生成手段４１により入力端子１００より供給される信号から複素共役信号が生成され出力される。前記遅延信号と前記複素共役信号とが乗算手段４２により乗算され、乗算手段４２の乗算結果が累算手段４３により所定時間だけ累算される。さらに、累算手段４２の累算結果から相関検出手段４４により自己最大相関値が検索され、最大自己振幅係数算出手段により前記自己最大相関値に基づいて振幅補正手段３２（または３３）の振幅係数が算出される。
【００６０】
次に、図２乃至図６に示した相互相関検出手段２０の具体的構成を図８に示す。図８において、相互相関検出手段２０は、相互相関検出手段２０に供給される信号のうち、比較すべき２つの信号のうちの一の信号から複素共役信号を生成して出力する複素共役信号生成手段５０と、複素共役信号生成手段５０により生成された複素共役信号と前記比較すべき２つの信号のうちの他の信号とを乗算処理する乗算手段５１と、乗算手段５１による乗算処理結果を所定時間だけ累算する累算手段５２と、累算手段５２による累算結果から位相計算を行う位相算出手段５３と、位相算出手段５３による位相算出結果から位相係数を算出する位相係数算出手段５４とを有している。
【００６１】
上記構成において、相互相関検出手段２０では、入力端子１０２、１０３を介して相互相関検出手段２０に供給される信号のうち、比較すべき２つの信号のうちの一の信号（入力端子１０３より入力される信号）が複素共役信号生成手段５０に入力され、この結果複素共役信号生成手段５０により複素共役信号が生成され、出力される。この複素共役信号生成手段５０により得られた複素共役信号と前記比較すべき２つの信号のうちの他の信号とが乗算手段５１により乗算処理される。
【００６２】
さらに、乗算手段５１により得られた乗算処理結果が累算手段５２により所定時間だけ累算され、累算手段５２による累算結果から位相算出手段５３により補正すべき位相量が算出される。位相算出手段５３により算出された補正すべき位相量に基づいて位相係数算出手段５４により位相係数が算出され、出力端子１０４より移相手段２１に、出力端子１０５より移相手段２２にそれぞれ設定すべき位相係数が出力される。
【００６３】
次に、図９にダイバーシチ合成過程における信号波形のＯＦＤＭによる復調過程を概念的に示す。図９において、自己相関は、ある時間のＯＦＤＭシンボルの信号と、それよりＴｓ時間以前のＯＦＤＭシンボルの信号とをＴｇ時間にわたり積和を計算すると得られるが、時間的に先行する信号がガードシンボルであると、図９に示すように、自己相関（絶対値）が最大となる。また、＃１の系統の信号と＃２の系統の信号は同一時間に到来したので、各々の自己相関（絶対値）が同一時間で最大値を示しているが、＃１信号の方が信号電力が大きいので、自己相関（絶対値）も＃１の系統の方が大きな値を示している。
【００６４】
そこで、図３乃至６に示した第２乃至第５の構成例において振幅補正を行うとき、図９に示される＃１と＃２の各系統の自己相関（絶対値）の最大値に比例した振幅係数が各自己相関検出手段３０、３１にて算出され、その振幅係数に基づき各振幅補正手段にて振幅補正される。
また、相互相関（位相）は、最大値が大きい方の系統の自己相関（絶対値）の検出時点を基準として、そのときの相互相関（位相）が参照される。例えば、図９では、＃１系統の自己相関（絶対値）が基準となる。図２乃至６に示した構成例１乃至５において位相補正を行うとき、前述のように得られる相互相関（位相）を基に相互相関検出手段２０において位相係数が算出され、各位相手段２１、２２において移相処理される。
【００６５】
なお、ダイバーシチ合成手段１３が図３乃至６に示すように自己相関検出手段３０、３１を含む場合、図１に示すＯＦＤＭ復調手段１４の有効シンボル抽出手段１５においては自己相関検出手段３０、３１が検出する自己相関値の最大値のうち、大きい方の自己相関信号を基準に有効シンボルを抽出することができる。例えば、図９に示すように自己相関（絶対値）が得られた場合、＃１系統の自己相関（絶対値）の最大値検出時点を基準として、ダイバーシチ合成手段１３から出力される合成ＯＦＤＭ信号からガードシンボルを削除して有効シンボルが抽出される。
【００６６】
以上、本発明の一実施形態に係るＯＦＤＭ受信装置の構成及び動作について図面を参照して詳述してきたが、本発明はこの実施形態に限られるものではなく、本発明の要旨を逸脱しない範囲の設計変更等があっても本発明に含まれる。
例えば、入力のアンテナ数は２つに限られるものではなく、３つ以上のアンテナが配設された場合も本発明に含まれる。
【００６７】
【発明の効果】
これまでに説明したように、この発明によれば、ＯＦＤＭダイバーシチ受信装置の有効シンボル抽出手段の入力以前においてダイバーシチ合成するようにしたので、受信装置が自動車等の移動体に積載され、移動に伴って受信信号強度が時々刻々変動する場合でもＯＦＤＭシンボルの有効シンボルを正確に抽出することができ、それを用いてビット誤りが少ない復調を行うことができるので、良好な受信状態を維持できる。
【００６８】
また、ＯＦＤＭ復調手段の一部分は、従来ではアンテナ素子数だけ必要であったが、本発明によれば、一系統ですみ、構成の簡単なＯＦＤＭ受信装置を実現することができる。
【図面の簡単な説明】
【図１】  本発明の実施の形態に係るダイバーシチ受信型のＯＦＤＭ受信装置の構成を示すブロック図。
【図２】  図１に示すＯＦＤＭ受信装置におけるダイバーシチ合成手段の第１の構成例を示すブロック図。
【図３】  図１に示すＯＦＤＭ受信装置におけるダイバーシチ合成手段の第２の構成例を示すブロック図。
【図４】  図１に示すＯＦＤＭ受信装置におけるダイバーシチ合成手段の第３の構成例を示すブロック図。
【図５】  図１に示すＯＦＤＭ受信装置におけるダイバーシチ合成手段の第４の構成例を示すブロック図。
【図６】  図１に示すＯＦＤＭ受信装置におけるダイバーシチ合成手段の第５の構成例を示すブロック図。
【図７】  図３乃至図６に示すダイバーシチ合成手段における自己相関検出手段の構成例を示すブロック図。
【図８】  図２乃至図６に示すダイバーシチ合成手段における相互相関検出手段の構成例を示すブロック図。
【図９】  本発明の実施の形態に係るＯＦＤＭ受信装置におけるダイバーシチ合成過程を概念的に示す説明図。
【図１０】  ＯＦＤＭ送信装置の構成を示すブロック図。
【図１１】  ＯＦＤＭによる変調過程を概念的に示す説明図。
【図１２】  ＯＦＤＭ受信装置の基本的構成を示すブロック図。
【図１３】  ＯＦＤＭによる復調過程を概念的に示す説明図。
【図１４】  従来のダイバーシチ受信型のＯＦＤＭ受信装置の構成を示すブロック図。
【符号の説明】
１１ａ、１１ｂ  アンテナ
１２ａ、１２ｂ  受信手段（ＲＥＣ）
１３、１３Ａ、１３Ｂ、１３Ｃ、１３Ｄ  ダイバーシチ合成手段
１４  ＯＦＤＭ復調手段
１５  有効シンボル抽出手段
１６  直／並列変換手段（Ｓ／Ｐ）
１７  高速フーリエ変換手段（ＦＦＴ）
１８  並／直列変換手段（Ｐ／Ｓ）
１９  復調手段
２０  相互相関検出手段
２１、２２  移相手段
２３  信号合成手段
３０、３１  自己相関検出手段
３２、３３  振幅補正手段
４０  有効シンボル時間遅延手段
４１、５０  複素共役信号生成手段
４２、５１  乗算手段
４３、５２  累算手段
４４  最大自己相関検索手段
４５  振幅係数算出手段
５３  位相算出手段
５４  位相係数算出手段
【図１】
0003681935.tif 000002
【図２】
0003681935.tif 000003
【図３】
0003681935.tif 000004
【図４】
0003681935.tif 000005
【図５】
0003681935.tif 000006
【図６】
0003681935.tif 000007
【図７】
0003681935.tif 000008
【図８】
0003681935.tif 000009
【図９】
0003681935.tif 000010
【図１０】
0003681935.tif 000011
【図１１】
0003681935.tif 000012
【図１２】
0003681935.tif 000013
【図１３】
0003681935.tif 000014
【図１４】
0003681935.tif 000015